(57)【要約】【課題】  本発明は、建物の枠材で区画された部分に挿設する弾力性のある断熱材を固定する断熱材保持具及び該保持具を用いた断熱材の施工方法を提供する。【解決手段】  建物の枠材で区画された部分に挿設する弾力性のある断熱材を固定する断熱材の保持具であり、枠材の側面に固着される底部と該底部から立設した突起部より構成している。保持具は底部から立設した突起部の先端に向かって漸次小径に形成している。保持具は、底面に前記枠材に固定するための固定手段が設けられている。前記保持具は、枠材に固定するために、突起部の先端から底面を貫通する貫通孔を設けている。また、保持具を枠材で区画された部分の断熱材の側面と当接する両側面に固着し、断熱材を枠内に保持具の突起全体を拘持するように挿入して固定し、枠材と断熱材側面を隙間無く取付ける断熱材保持具を用いた断熱材の施工方法。【選択図】図６
2019015159.tif 000002
【特許請求の範囲】
【請求項１】
建物の土台、大引き、根太、上枠、タテ枠、下枠及び垂木等の枠材で区画された部分に挿設する弾力性のある断熱材を固定する断熱材の保持具であって、
該保持具は、前記枠材の側面に固着される底部と、該底部から立設した突起部より構成されていることを特徴とする断熱材保持具。
【請求項２】
前記保持具は、底部から立設した突起部の先端に向かって、漸次小径に形成されていることを特徴とする請求項１に記載の断熱材保持具。
【請求項３】
前記保持具は、底面に前記枠材に固定するための固定手段が設けられていることを特徴とする請求項１叉は２に記載の断熱材保持具。
【請求項４】
前記保持具は、前記枠材に固定するために、突起部の先端から底面を貫通する貫通孔が設けられていることを特徴とする請求項１〜３のいずれかに記載の断熱材保持具。
【請求項５】
断熱材保持具により、建物の土台、大引き、根太、上枠、タテ枠、下枠及び垂木等の枠材で区画された部分に挿設する断熱材を固定する断熱材の施工方法であって、
前記枠材で区画された部分の、前記断熱材の側面と当接する両側面に、所定個数の保持具の底面を固着し、
前記断熱材を前記枠内に載置して前記断熱材の両側面が前記保持具の突起全体を拘持するように挿入し、
前記断熱材の弾力により前記保持具の突起部全体を前記断熱材内部に拘持して固定し、前記枠材と前記断熱材側面とを隙間無く取付けることを特徴とする、断熱材保持具を用いた断熱材の施工方法。
【発明の詳細な説明】
【技術分野】
【０００１】  本発明は、建物の枠材で区画された部分に挿設する弾力性のある断熱材を固定する断熱材保持具及び該保持具を用いた断熱材の施工方法に関する。
【背景技術】
【０００２】  建物の床下断熱材の支持金具は、土台や大引きに固定する金具として、上方から係止片で被嵌するように帯状金属板にて下向きコ字状に形成した幅員部と側面部からなる本体と、この本体の左右両側板を外側方向に直角に折り曲げて形成した水平支持部とからなり、間隔をおいて配置された大引間に充填される断熱材を支持する断熱材の支持金具が開示されている（特許文献１参照。）。【０００３】  また、大引き、土台、根太などの横架材に装着され、板状断熱材を略水平方向に支持するのに使用される断熱材支持具であって、横架材の側端面に密着するように配置される垂直板部と、該垂直板部の下面から水平方向に延出された下方水平板部とを有し、下方水平板部には、垂直板部と下方水平板部との間に、荷重を受けるための補強部が形成されている断熱材支持具が開示されている（特許文献２参照。）。
【先行技術文献】
【０００４】
【特許文献】
【特許文献１】特開２００６−２５７７１８号公報
【特許文献２】特開２００９−３０４０６号公報
【発明の概要】
【発明が解決しようとする課題】
【０００５】  特許文献１及び２に記載の断熱材支持具は、根太や大引きの幅に適合する幅に形成された支持金具であり、根太等に跨設されるフルサイズと、片側に係設されるハーフサイズが開示されている。しかしながら、これらの支持金具は断熱材の厚みに対応した側面支持高さを有する支持金具や、根太等の幅に対応した支持金具を準備しなければならないという問題があった。
また、これらの断熱材支持具は、床面への断熱材施工に限定されるものであり、住宅の壁面や屋根裏への施工には適さないという問題があった。
【課題を解決するための手段】
【０００６】  本願発明は、これらの問題を解決するために成されたものであり、住宅の床面、壁面、叉は屋根裏面に断熱材を適切に施工できる、断熱材保持具及び該保持具を用いた断熱材の施工方法を提供することを目的としている。【０００７】  本発明の断熱材保持具（以下、保持具という）は、建物床面の土台、大引きや根太、壁面の上枠、タテ枠及び下枠、屋根裏の上枠及び垂木等の枠材で区画された部分に挿設する、少なくとも側面に弾力性を有する断熱材を固定する保持具である。該保持具は、前記枠材の側面に固着される底部と、該底部から立設した中実体叉は中空体の突起部より構成されている。【０００８】  本発明の保持具は、平面状の底部を有し、該底部から立設した中実体叉は中空体の突起部が、該底部から先端に向かって、漸次小径に形成されている。【０００９】  本発明の保持具は、平面状の底面に、建物床面の土台、大引き及び根太、壁面の上枠、タテ枠及び下枠、屋根裏上枠及び垂木等の枠材で区画された部分に固定するための固定手段が設けられている。該固定手段は、接着剤の塗布、両面に接着剤を有する剥離紙等が用いられる。【００１０】  本発明の保持具は、前記枠材に固定するために、中実体の突起部の先端から底面を貫通する貫通孔が設けられている。該貫通孔に別途準備した釘、ネジ等を用いて前記枠材に打設叉は螺設する。なお、底面に接着剤の塗布叉は両面に接着剤を有する剥離紙を併用すれば、釘、ネジ等で固定する際に、手等で前記保持部を保持する手間が省けるので、前記枠材への保持具の固定が容易となる。【００１１】  本発明の保持具を用いた断熱材の施工方法は、前記枠材で区画された部分の、前記断熱材の側面と当接する両側面に、所定個数の保持具の底面を固着し、前記断熱材を前記枠内に載置して前記断熱材の両側面が前記保持具の突起部全体を拘持するように挿入し、前記断熱材の弾力により前記保持具の突起部全体を前記断熱材内部に拘持して固定し、前記枠材と前記断熱材側面とを隙間無く取付ける、保持具を用いた断熱材の施工方法である。
【発明の効果】
【００１２】  本発明の保持具は、平面状叉はドーナツ状の底部を有し、該底部から立設した突起部が、該底部から先端に向かって、漸次小径に形成されている。これにより、建物床面の土台、大引き及び根太、壁面の上枠、タテ枠及び下枠、屋根裏の上枠及び垂木等の枠材で区画された部分に適用することが可能であり、非常に汎用性の高い保持具として使用することができる。【００１３】  本発明の保持具は、平面状の底面に、接着剤の塗布叉は両面に接着剤を有する剥離紙が貼付されるので、枠材の材質として木材や金属等を問わず、広範囲に使用することができる。また、突起部の先端から底面を貫通する貫通孔が設けられているので、貫通孔に別途準備した釘、ネジ等を用いて前記枠材に打設叉は螺設すれば、保持具と断熱材をより強固に保持することができる。さらに、本発明の保持具を用いた断熱材の施工方法によれば、前記枠材と前記断熱材側面とを隙間無く取付けることができる。
【図面の簡単な説明】
【００１４】
【図１】  本発明に係る保持具と、断熱材及び枠材との位置関係を示した斜視図である。
【図２】  本発明に係る保持具の実施形態の一例を示したもので、（ａ）は平面図（ｂ）は正面図である。
【図３】  本発明に係る保持具の他の実施形態を示したもので、（ａ）は平面図（ｂ）は正面断面図である。
【図４】  本発明に係る保持具の他の実施形態を示したもので、（ａ）は平面図（ｂ）は正面断面図である。
【図５】  本発明に係る保持具の他の実施形態を示したもので、（ａ）は平面図（ｂ）は正面図である。
【図６】  本発明に係る保持具を枠材に挿入する過程を示した主要部断面図であり、（ａ）は枠材開口部に載置した状態、（ｂ）は断熱材の底面端部が保持具に当接した状態、（ｃ）は断熱材の側面に保持具全体が抱着された状態、（ｄ）は枠材内に断熱材が装着された状態を示したものである。
【発明を実施するための形態】
【００１５】  以下、本発明の実施形態について図面に基づき詳細に説明する。図１は木造軸組工法における一般的な床組に断熱材を施工する場合の各部材の位置関係を示した斜視図である。床面に用いる枠材には、土台、大引き、根太叉は下枠等があり、壁面に用いる枠材には土台、上枠、タテ枠叉は下枠等があり、天井面に用いる枠材には、上枠叉は垂木等がある。図１において、１は断熱材保持具、１０は土台、１１は長尺側の大引き、１２は短尺側の大引き、（以下、土台、長尺側の大引き、短尺側の大引きを、枠材という場合がある）、１３は断熱材である。前記断熱材１３は前記枠材で区画された空間に挿着され、保持具１で固定される。
【００１６】  前記断熱材１３は、弾性を有する発泡プラスチック製で、所定厚さを有する長方形（正方形を含む）に形成されており、少なくとも断熱材端面１３ａ（以下、端面という）は枠材や保持具１に当接して押圧すると圧縮されて変形するが、押圧力を取り除くと原形に復帰するように形成されている。
【００１７】  図２は、本発明に係る保持具の実施形態の一例を示したものであり、図３〜図５は、本発明に係る保持具の他の実施形態を示したものである。なお、同一部材は同一符号を付与している。
【００１８】  図２において、保持具１は、底部２と、該底部２から立設した突起部３からなる中実の円錐形に形成されており、円錐の稜線は直線である。なお、円錐の稜線を曲線としてもよい。前記保持具１の突起部を円錐形とする理由は、断熱材１３を枠材の区画内に挿着するときに、断熱材１３の側面１３ａを、前記保持具１の突起部３に沿って円滑に変形させるためである。前記保持具１の材質は、断熱材１３より硬度が高く該断熱材１３を保持することが可能であるもので、例えば、鉄、ステンレス鋼、アルミ等の金属や、各種プラスチックを用いることができる。以下、他の実施形態においても保持具の材質は同様である。なお、断熱材１３の板厚は使用用途や箇所により１０ｍｍ〜１００ｍｍのものがあり、これに対応して前記保持具１の底部２の直径は５〜５０ｍｍ、突起部の高さは５〜１０ｍｍとすることが望ましい。前記底部２には、枠材に固着するための固着手段５として固着時に接着剤を塗布しても良く、両面に接着剤が付着した剥離紙を予め貼付してもよい。
【００１９】  図３において、保持具１ａは、ドーナツ状の底部２ａと、該底部２ａから立設した突起部３ａからなる中空の円錐形に形成されており、円錐の稜線は直線である。なお、円錐の稜線を曲線としてもよい。前記ドーナツ状の底部２ａには、枠材に固着するための固着手段５ａとして固着時に接着剤を塗布しても良く、両面に接着剤が付着したドーナツ状の剥離紙を予め貼付してもよい。なお、保持具の材質、寸法等については、前記した実施形態の一例と同一である。
【００２０】  図４において、保持具１ｂは、貫通孔４を有する底部２ｂと、該底部２ｂから立設した突起部３ｂからなる中実の円錐形に形成されており、円錐の稜線は直線である。なお、円錐の稜線を曲線としてもよい。前記保持具１ｂは突起部３ｂの頂点から底部２ｂを垂直に貫通する貫通孔４が設けられており、該貫通孔４に、別途用意した釘叉はネジ等で枠材に固着することで、保持具１ｂ及び断熱材１３を、枠材に強固に固着することができる。前記底部２ａには、枠材に固着するための固着手段５ａとして固着時に接着剤を塗布しても良く、両面に接着剤が付着した剥離紙を予め貼付してもよい。なお、保持具の材質、寸法等については、前記した実施形態の一例と同一である。
【００２１】  図５において、保持具１ｃは、底部２ｃと、該底部２ｃから立設した突起部３ｃからなる中実の八角錐形に形成されており、円錐の稜線は直線である。また、８角錐形に限定されるものではなく、３角形以上であればよく、稜線を曲線してもよく、中空の突起部としてもよい。なお、枠材に固着するための固着手段５ｃとして固着時に接着剤を塗布しても良く、両面に接着剤が付着した剥離紙を予め貼付してもよい。保持具の材質、寸法等については、前記した実施形態の一例と同一である。
【００２２】  図６は、本発明に係る保持具を枠材に挿入する過程を示した主要部断面図であり、図２に示す保持具１を用いて説明する。
【００２３】  図６（ａ）は、枠材の開口部に断熱材１３を載置した状態を示したものである。１１は長尺側大引き、１２は短尺側大引き、１３は断熱材、１は断熱材保持具である。保持具１の底部２は、長尺大引き１１の内側が対向する両端面に各４個が接着材等で固着されている。前記断熱材１３の寸法は、通常、工場生産時に決定されているが、施工現場において寸法の修正が必要な場合は、ノコギリ等の切断具で所定寸法に切断が可能なものである。
【００２４】  図６（ｂ）は、矢印に示す方向に断熱材１３を押し下げる方向に押圧力を加えて、断熱材１３の底面端部１３ｂが保持具１に当接した状態を示したものである。
【００２５】  図６（ｃ）は、断熱材１３の側面１３ａに保持具１全体が抱着された状態を示したものである。前記断熱材１３を矢印に示す方向に更に押し下げると、保持具１の突起部３が当接した断熱材１３の側面１３ａが、突起部３の外形形状に沿って順次圧縮と現状復帰を繰り返しながら、前記突起部３全体を前記断熱材１３の側面１３ａに抱持した状態となり、前記断熱材１３は前記保持具１を前記長尺大引き１１に押付ける方向の反力を維持している。
【００２６】  図６（ｄ）は枠材内の所定位置に断熱材１３が装着された状態を示したものである。前記断熱材１３を所定位置（長尺側大引き１１の上面と同一面）まで更に押し下げると、保持具１の突起部３の位置が、断熱材側面１３ａを更に下側に移動する。これにより、前記断熱材１３は前記保持具１を前記長尺側大引き１１に押付ける反力を維持した状態で挿着されているので、前記断熱材１３を強固に前記長尺側大引き１１等で区画された枠体内に固着することができる。
【産業上の利用可能性】
【００２７】  本願発明の断熱材保持具は、枠材の材質として木材や金属等を問わず、建物床面の土台、大引き及び根太、壁面の上枠、タテ枠及び下枠、屋根裏の上枠及び垂木等の枠材で区画された部分に適用することが可能であり、非常に汎用性の高い保持具として適用することが可能である。
【符号の説明】
【００２８】  １、１ａ、１ｂ、１ｃ  断熱材保持具
２、２ａ、２ｂ、２ｃ  底部
３、３ａ、３ｂ、３ｃ  突起部
４  貫通孔
５  固着部材（接着剤叉は両面剥離紙）
１０  土台（枠材）
１１  長尺側大引き（枠材）
１２  短尺側大引き（枠材）
１３  断熱材
１３ａ  断熱材側面
１３ｂ  断熱材側面端部
【図１】
2019015159.tif 000003
【図２】
2019015159.tif 000004
【図３】
2019015159.tif 000005
【図４】
2019015159.tif 000006
【図５】
2019015159.tif 000007
【図６】
2019015159.tif 000008